(57)【要約】【課題】受変電設備または遠方監視装置の構成機器の寿命や交換時期の経過による故障や不能を未然に防ぐことができる監視装置および監視システムを提供することである。【解決手段】実施形態の監視装置は、記憶部と、出力部と、判定部とを持つ。記憶部は、遠方監視装置または受変電設備の構成機器の寿命または交換時期に関する情報を記憶する。出力部は、情報を出力する。判定部は、記憶部を参照し、構成機器の寿命または交換時期に関して所定の条件を満たしているか否かを判定し、判定結果に基づく情報を出力部に出力させる。【選択図】図１
2015208166.tif 000002
【特許請求の範囲】
【請求項１】
遠方監視装置または受変電設備の構成機器の寿命または交換時期に関する情報を記憶する記憶部と、
情報を出力する出力部と、
前記記憶部を参照し、前記構成機器の寿命または交換時期に関して所定の条件を満たしているか否かを判定し、判定結果に基づく情報を前記出力部に出力させる判定部と、
を備える監視装置。
【請求項２】
前記記憶部は、前記遠方監視装置または前記受変電設備の構成機器の識別情報と、前記遠方監視装置または前記受変電設備の構成機器の寿命または交換時期に関する情報とを対応づけて記憶し、
前記判定部は、前記判定結果に基づく情報を、前記遠方監視装置または前記受変電設備の構成機器の識別情報と対応づけて出力させる請求項１記載の監視装置。
【請求項３】
前記遠方監視装置または前記受変電設備は、少なくとも２つ以上であり、
前記記憶部は、前記遠方監視装置または前記受変電設備の識別情報と、前記構成機器の識別情報と、前記構成機器の寿命または交換時期に関する情報とを対応づけて記憶し、
前記判定部は、前記判定結果に基づく情報を、前記受変電設備または前記遠方監視装置の識別情報と対応づけて出力させる請求項１または２に記載の監視装置。
【請求項４】
前記判定部は、前記遠方監視装置または前記受変電設備の構成機器の寿命または交換時期の到来より前に、前記出力部に前記構成機器の寿命または交換時期に関する情報を出力させる請求項１から３のいずれか１項に記載の監視装置。
【請求項５】
前記記憶部は、前記構成機器に関する優先度を記憶し、
前記判定部は、前記構成機器の優先度に応じて、前記構成機器の寿命または交換時期を前記出力部に出力させる請求項１から４のいずれか１項に記載の監視装置。
【請求項６】
前記記憶部は、前記遠方監視装置または前記受変電設備の構成機器の識別情報と、前記構成機器の識別情報に対応する予め定められた耐久年数を記憶し、
前記判定部は、特定の構成機器の交換に関する情報が入力された場合、前記特定の構成機器の交換に関する情報に含まれる情報に基づき、前記記憶部に記憶された前記特定の構成機器の識別情報に対応する前記耐久年数を参照して、前記特定の構成機器の寿命または交換時期を算出し、算出した結果に基づき、前記記憶部に記憶された前記特定の構成機器の寿命または交換時期に関する情報を書き換える請求項１から５のいずれか１項に記載の監視装置。
【請求項７】
請求項１から５のうちいずれか１項に記載の監視装置と、
前記受変電設備の情報を取得し、前記監視装置と通信が可能な前記遠方監視装置と、
を備える監視システム。
【発明の詳細な説明】
【技術分野】
【０００１】
本発明の実施形態は、監視装置および監視システムに関する。
【背景技術】
【０００２】
従来、受変電設備に関する情報を閲覧して、電力系統の状態を把握することが行われていた。しかしながら、受変電設備などの構成機器の寿命や交換時期の経過による故障や不能を未然に防ぐことができない場合があった。
【先行技術文献】
【特許文献】
【０００３】
【特許文献１】特開２００８−６１３５３号公報
【発明の概要】
【発明が解決しようとする課題】
【０００４】
本発明が解決しようとする課題は、受変電設備または遠方監視装置の構成機器の寿命や交換時期の経過による故障や不能を未然に防ぐことができる監視装置および監視システムを提供することである。
【課題を解決するための手段】
【０００５】
実施形態の監視装置は、記憶部と、出力部と、判定部とを持つ。記憶部は、遠方監視装置または受変電設備の構成機器の寿命または交換時期に関する情報を記憶する。出力部は、情報を出力する。判定部は、記憶部を参照し、構成機器の寿命または交換時期に関して所定の条件を満たしているか否かを判定し、判定結果に基づく情報を出力部に出力させる。
【図面の簡単な説明】
【０００６】
【図１】第１の実施形態の系統監視システム１の機能構成例を示す図。
【図２】第１の実施形態の遠方監視装置１０、受変電設備３０の機能構成例を示す図。
【図３】第１の実施形態の監視装置４０の機能構成例を示す図。
【図４】第１の実施形態の監視装置４０により実行される処理の流れの一例を示すフローチャート。
【図５】第１の実施形態の出力部７６が表示するシステム画面の一例を示す図。
【図６】第１の実施形態の出力部７６が、遠方監視装置１０または受変電設備３０の構成機器の交換時期に関する情報を通知する画面の一例を示す図。
【図７】第１の実施形態の出力部７６が、遠方監視装置１０または受変電設備３０の構成機器の寿命または交換時期に関する情報を通知する別の画面の一例を示す図。
【図８】第１の実施形態の出力部７６が表示する系統監視画面において、遠方監視装置１０または受変電設備３０の構成機器の寿命または交換時期に関する情報を通知する画面の一例を示す図。
【図９】第１の実施形態の出力部７６が表示する、構成機器の交換時期に関する情報の詳細を示す寿命管理画面の一例を示す図。
【図１０】第２の実施形態の出力部７６が表示する、入力条件を満たす構成機器を抽出した結果の画面の一例を示す図。
【図１１】第３の実施形態の出力部７６が表示する、構成機器登録画面の一例を示す図。
【図１２】第４の実施形態に係る監視装置４０に構成機器を交換した情報を入力した場合に実行される処理の流れの一例を示すフローチャート。
【図１３】第４の実施形態の出力部７６が表示する、交換のアイコンがタッチ操作された場合の画面の一例について示す図。
【発明を実施するための形態】
【０００７】
（第１の実施形態）
以下、実施形態の監視装置（中央監視装置）４０を組み込んだ系統監視システム１を、図面を参照して説明する。図１は、第１の実施形態の系統監視システム１の機能構成例を示す図である。図１に示す系統監視システム１は、監視装置４０が、３つの遠方監視装置１０（１０−１、１０−２、１０−３）および受変電設備３０（３０−１、３０−２、３０−３）を監視または制御する例である。系統監視システム１は、例えば、監視装置４０と、３つの遠方監視装置１０（１０−１、１０−２、１０−３）、受変電設備３０（３０−１、３０−２、３０−３）とを備える。監視装置４０と、３つの遠方監視装置１０は、ＬＡＮ、専用線、インターネット等のネットワークで接続されている。３つの遠方監視装置１０は、対応する受変電設備３０とＬＡＮ、専用線、インターネット等のネットワークで接続されている。また、監視装置４０と遠方監視装置１０とを備えるシステムを、監視システム５と称する。
【０００８】
図２は、第１の実施形態の遠方監視装置１０、受変電設備３０の機能構成例を示す図である。遠方監視装置１０は、例えば、ＬＡＮ用ハブ１２、入出力端末１４、ファン１６、その他の機器１８を備える。
ＬＡＮ用ハブ１２は、監視装置４０と通信を行うための機器である。ＬＡＮ用ハブ１２は、入出力端末１４より出力された信号を監視装置４０へ転送する。また、ＬＡＮ用ハブ１２は、監視装置４０より出力された信号を入出力端末１４に転送する。
【０００９】
入出力端末１４は、予備電源用のバッテリ２０を備える。入出力端末１４は、ファン１６、その他の機器１８より出力された信号を取得する。また、入出力端末１４は、ファン１６、その他の機器１８へ信号を出力する。さらに、入出力端末１４は、受変電設備より情報を取得する。入出力端末１４は、ＬＡＮ用ハブ１２を介して監視装置４０と通信を行う。
ファン１６は、遠方監視装置１０内の温度上昇を、換気、通風により抑制するためのものである。ファン１６と、その他の機器１８と、入出力端末１４とは、互いに通信可能に接続されている。ファン１６と、その他の機器１８の運転状態は、入出力端末１４、及びＬＡＮ用ハブ１２を介して、監視装置４０に送信される。また、ファン１６と、その他の機器１８の運転状態は、監視装置４０のシーケンサ６０の操作に基づき出力された信号に基づき制御される。なお、図５以下では、遠方監視装置１０の構成機器を便宜的に（１）〜（３）で示している。
【００１０】
受変電設備３０（３０−１、３０−２、３０−３）は、例えば、受電部、開閉器、コンデンサ、継電器、遮断器、断路器、変圧器、警報器、発電機、計測器などの１または複数の構成機器を備える。受変電設備３０は、変電所などから受電した電力を、各受変電設備が管轄する負荷設備に適した電力（電圧、交流か直流か）に変換し、各負荷設備へ変換後の電力を供給する。また、各負荷設備への電力供給に異常が発生した場合には、受変電設備３０の構成機器の制御を行うことで各負荷設備への電力供給を停止する。これにより受電設備３０が管轄する電力供給系統の異常箇所の点検、整備等を行うことができる。なお、図２以下では、受変電設備３０の構成機器を便宜的にａ〜ｆで示している。
【００１１】
図３は、第１の実施形態の監視装置４０の機能構成例を示す図である。監視装置４０は、遠方監視装置１０、受変電設備３０、遠方監視装置１０の構成機器、受変電設備３０の構成機器の状態を監視または制御する。監視装置４０は、遠方監視装置１０が備える構成機器であるＬＡＮ用ハブ１２、入出力端末１４、ファン１６、その他の機器などの状態を監視または制御する。監視装置４０は、受変電設備３０が備える構成機器の状態や各種計測器により計測された情報を、遠方監視装置１０を介して取得し、受変電設備３０の状態を監視する。また、監視装置４０は、例えば、受変電設備３０が故障した場合、または受変電設備３０が管轄する電力供給系において異常等が発生した場合には、遠方監視装置１０を介して受変電設備３０が備える構成機器の制御を行う。
【００１２】
監視装置４０は、例えば、ＬＡＮ用ハブ５０と、シーケンサ６０と、タッチパネル式ディスプレイ端末装置７０とを備える。ＬＡＮ用ハブ５０は、遠方監視装置１０が備えるＬＡＮ用ハブ１２と通信を行う。また、ＬＡＮ用ハブ５０は、シーケンサ６０より出力された信号を取得して、遠方監視装置１０が備えるＬＡＮ用ハブ１２へ取得した信号を出力する。
【００１３】
シーケンサ６０は、バッテリ６２と、無線通信部６４と、制御部６６とを備える。
バッテリ６２は、予備電源であり、緊急時に制御部６６へ電力を供給する。無線通信部６４は、タッチパネル式ディスプレイ端末装置７０が備える無線通信部８０と通信を行う。制御部６６は、遠方監視装置１０の構成機器または受変電設備３０の構成機器を制御するための信号を出力する。制御部６６は、例えば、遠方監視装置１０または受変電設備３０の構成機器が故障した場合、負荷設備への電力供給の配線に事故が起こった場合などのとき、遠方監視装置１０または受変電設備３０の運転または構成機器の状態を制御する。
【００１４】
タッチパネル式ディスプレイ端末装置７０は、例えば、記憶部７２と、入力部７４と、出力部７６と、判定部７８と、無線通信部８０とを備える。監視装置４０は、プロセッサが記憶部７２に記憶されているプログラムを実行することによって機能するソフトウェア機能部として、判定部７８を備えてもよい。このソフトウェア機能部は、ＬＳＩ（Ｌａｒｇｅ  Ｓｃａｌｅ  Ｉｎｔｅｇｒａｔｉｏｎ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェア機能部であってよい。
【００１５】
記憶部７２は、例えば、ＨＤＤ（Ｈａｒｄ  Ｄｉｓｃ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ），ＲＯＭ（Ｒｅａｄ  Ｏｎｌｙ  Ｍｅｍｏｒｙ），またはＲＡＭ（Ｒａｎｄｏｍ  Ａｃｃｅｓｓ  Ｍｅｍｏｒｙ）等を備える。また、記憶部７２は、ファームウェアやアプリケーションプログラム等、監視装置４０が備えるＣＰＵが実行するための各種プログラムやＣＰＵが実行した処理の結果などを記憶する。記憶部７２には、例えば、遠方監視装置１０または受変電設備３０の構成機器の寿命または交換時期に関する情報が記憶されている。また、記憶部７２には、遠方監視装置１０の識別情報と、受変電設備３０の識別情報と、遠方監視装置１０または受変電設備３０の構成機器の識別情報と、予め設定された構成機器の耐久年数などの構成機器に関する情報とが対応づけられて記憶されている。
【００１６】
入力部７４と、出力部７６とは、例えば、タッチパネル式ディスプレイとして一体に構成されている。入力部７４は、オペレータが指などの指示体で検知面に触れた位置（座標）を検出する。タッチパネル式ディスプレイ端末装置７０を使用するオペレータは、タッチ操作、スワイプ操作、タップ操作などをすることにより、所望の入力操作をすることができる。入力部７４としては、静電容量式や抵抗膜方式、圧力検知式、電磁誘導式などの接触検知機構が用いられる。なお、入力部７４は、キーやダイヤルスイッチ、マウス、タッチパッド等を含んでもよい。入力部７４より入力された操作に関する信号は、無線通信部８０を介して、シーケンサ６０へ出力される。出力部７６は、判定部７８または無線通信部８０により出力された信号に基づき、タッチパネル式ディスプレイにインターフェイス画面を表示する。出力部７６は、例えば、遠方監視装置１０または受変電設備監視装置３０の構成機器の寿命または交換時期に関する情報を含む画面を表示する。なお、タッチパネル式ディスプレイ端末装置７０は、入力部７４と出力部７６とが一体となっているタッチパネル式ディスプレイではなく、キーボードやマウス等を備える入力部と、表示装置とが別体の装置であってもよい。
【００１７】
判定部７８は、記憶部７２を参照し、遠方監視装置１０または受変電設備監視装置３０の構成機器の寿命または交換時期に関して、所定の条件を満たしているか否かを判定し、判定結果に基づく情報を出力部７６に出力させる。より具体的には、判定部７８は、判定結果に基づく情報を含む画面を出力部７６に表示させる。
無線通信部８０は、シーケンサ６０との間で構築する無線ＬＡＮに接続するための通信装置である。
【００１８】
図４は、第１の実施形態の監視装置４０により実行される処理の流れの一例を示すフローチャートである。本フローチャートの処理は、例えば所定周期（１日１回、１時間おき等）で繰り返し実行される。
まず、判定部７８は、記憶部７２を参照して、遠方監視装置１０または受変電設備３０の構成機器の寿命または交換時期に関する情報を取得する（ステップＳ１００）。次に、判定部７８は、遠方監視装置１０または受変電設備３０が備える構成機器の寿命または交換時期に関して所定の条件を満たしているか否かを判定する（ステップＳ１０２）。ここで、所定の条件とは、例えば、遠方監視装置１０または受変電設備３０の構成機器の寿命または交換時期が到来したか否かである。また、所定の条件とは、例えば、遠方監視装置１０または受変電設備３０が構成機器の寿命または交換時期に、所定程度まで近づいたか否かである。「所定程度まで近づいた」をどのように判定するかについては、例えば、交換時期到来の１カ月前、３カ月前、６カ月前など適宜、オペレータが設定できる。
【００１９】
そして、判定部７８が、所定の条件を満たしていないと判定した場合には、本フローチャートの処理の１ルーチンが終了する。判定部７８が、所定の条件を満たしていると判定した場合には、出力部７６は、遠方監視装置１０または受変電設備３０の構成機器の寿命または交換時期を通知する（ステップＳ１０４）。出力部７６は、例えば、後述する図６、図７、図８で示すように、遠方監視装置１０または受変電設備３０の構成機器の寿命または交換時期に関する情報を出力する。これによって、本フローチャートの処理の１ルーチンが終了する。
【００２０】
次に、出力部７６に、例えば、系統監視システム１の全体構成を表示しているシステム画面、受変電設備３０の配線や構成を示す系統監視画面等を表示しているときに、遠方監視装置１０または受変電設備３０の構成機器の交換時期に関する情報が通知される画面等について説明する。
【００２１】
図５は、第１の実施形態の出力部７６が表示するシステム画面の一例を示す図である。図５に示すように、システム画面では、系統監視システム１の全体構成を表示している。出力部７６は、例えば、監視装置（中央監視装置）４０が監視している遠方監視装置１０（１０−１、１０−２、１０−３）と、受変電設備３０（３０−１、３０−２、３０−３）とを、通信接続関係、すなわち制御関係をツリー状に表現した情報を画面上に表示する。また、図５の画面では、各受変電設備３０の出力する電力量（ｋｗ）と、ａ〜ｆのアイコンで表される構成機器とを対応づけて表示している。また、システム画面では、各遠方監視装置１０の構成機器を（１）〜（３）のアイコンで表示している。さらに、システム画面の下部には、図５のシステム画面から、他の画面に切り替えるためのアイコンを表示している。他の画面とは、例えば、図８の系統監視画面、図９の寿命管理画面、図１１の構成機器登録画面である。これらの画面については、後述する。
【００２２】
図６は、第１の実施形態の出力部７６が、遠方監視装置１０または受変電設備３０の構成機器の交換時期に関する情報を通知する画面の一例を示す図である。出力部７６に、図５に示すシステム画面が表示されている状態において、判定部７８が、遠方監視装置１０または受変電設備３０の構成機器の交換時期に関して、所定の条件を満たしていると判定した場合には、例えば、図６に示すポップアップ画面をシステム画面上に表示し、構成機器の交換時期が近づいている旨の通知を行う。
【００２３】
例えば、監視装置４０に、遠方監視装置１０または受変電設備３０の構成機器の交換時期到来１カ月前に、構成機器の交換時期に関する情報を通知する設定がされていた場合、交換時期到来１カ月前になると、図６に示すポップアップ画面が表示される。図６に示すポップアップ画面では、Ａ受変電設備の構成機器「ｅ」が、予め設定された構成機器「ｅ」の交換時期１カ月前であることを示している。このように、システム画面が出力部７６に表示されているときにおいて、判定部７８が所定の条件を満たしていると判定した場合は、構成機器の交換時期が近づいている旨の通知を行うので、オペレータは構成機器の寿命または交換時期が近づいてことを認識することができる。なお、遠方監視装置１０または受変電設備３０の構成機器の寿命または交換時期を経過した後であっても、所定の期間または所定の間隔で、ポップアップ画面を表示するかは、適宜、オペレータが設定できるようにしてよい。
【００２４】
図７は、第１の実施形態の出力部７６が、遠方監視装置１０または受変電設備３０の構成機器の寿命または交換時期に関する情報を通知する別の画面の一例を示す図である。図７に示す画面では、システム画面において、判定部７８が、遠方監視装置１０または受変電設備３０の構成機器の交換時期に関して、所定の条件を満たしていると判定した場合には、該当する構成機器のアイコンを、他の構成機器のアイコンと色を変えて表示している。これにより、オペレータはＡ受変電設備の構成機器「ｅ」の寿命または交換時期が近づいていることを直感的に認識することができる。図７に示す画面では、例えば、該当する構成機器のアイコンを点灯、点滅させたり、受変電設備や各構成機器のアイコン内に交換時期が到来したことを通知する表示をしたりしてもよい。出力部７６は、構成機器の交換時期に関する情報を通知する場合、オペレータに視覚的、聴覚的に、構成機器の寿命または交換時期が近づいていることを認識させる出力であればよい。出力部７６は、例えば、スピーカを備え、スピーカから構成機器の寿命または交換時期が到来していることを示す音声を出力してもよい。
【００２５】
図８は、第１の実施形態の出力部７６が表示する系統監視画面において、遠方監視装置１０または受変電設備３０の構成機器の寿命または交換時期に関する情報を通知する画面の一例を示す図である。図８に示す画面は、受変電設備３０の配線関係、構成機器の配置、構成機器の状態をツリー状に表現した系統監視画面である。系統監視画面には、例えば、遮断器の開閉状態、各種計測器の作動状態などが表示される。また、系統監視画面には、構成機器や配線に異常が発生した場合には、該当する配線や構成機器を特定して表示する。
【００２６】
そして、判定部７８が、遠方監視装置１０または受変電設備３０の構成機器の交換時期に関して、所定の条件を満たしていると判定した場合には、図８に示すように構成機器の交換時期が近づいている旨の通知を行う。図８に示す画面では、Ａ受変電設備の構成機器「ｅ」が、予め設定された構成機器「ｅ」の交換時期１カ月前であることを示すポップアップ画面を表示している。このように、系統監視画面が出力部７６に表示されているときにおいても、判定部７８が所定の条件を満たしていると判定した場合は、構成機器の交換時期が近づいている通知を行うので、オペレータは構成機器の寿命または交換時期が近づいてことを認識することができる。なお、系統監視画面における構成機器の交換時期が近づいている通知は、系統監視画面に表示された配線や構成機器を示す記号のアイコンの色を変更したり、点灯、点滅させたりすることにより行ってもよい。
【００２７】
図９は、第１の実施形態の出力部７６が表示する、構成機器の交換時期に関する情報の詳細を示す寿命管理画面の一例を示す図である。例えば、図６〜８の画面において、例えば、ポップアップ画面や該当するアイコンを、オペレータがタッチ操作すると図９に示す画面に移動する。図９の画面では、Ａ受変電設備の構成機器ａ〜ｉの寿命または交換時期に関する詳細な情報の一覧を示している。図６〜８の例では、寿命または交換時期が近づいている構成機器は、Ａ受変電設備の構成機器「ｅ」であるため、図９における画面は、該当するＡ受変電設備のすべての構成機器の交換時期に関する情報の詳細を示している。また、構成機器「ｅ」について、構成機器の交換時期が近づいているため、構成機器「ｅ」に関係する項目が、太線で強調して表示されている。
【００２８】
図９の例では、Ａ受変電設備のすべての構成機器名、耐久年数、使用年数、構成機器の推奨交換日、交換時期が近づいたときの通知の要否、通知をする時期である通知設定、各構成機器の交換に関する優先度、構成機器を交換した場合に情報を登録する交換ボタン、構成部品を交換した日が表示される前回交換日などの項目を表示している。耐久年数とは、例えば、構成機器名に対応づけて登録されている推奨使用期間である。使用年数とは、例えば、構成機器の使用が開始されてから現在までの期間である。推奨交換日とは、例えば、構成機器の使用開始日と耐久年数に基づき算出された推奨される構成機器の交換日である。通知の要否とは、例えば、オペレータが、構成機器の交換時期が近づいていることを通知するポップアップ画面の表示を希望しているか否かを示す情報である。例えば、オペレータが、ポップアップ画面の表示を希望する登録がされている場合には、「○」が表示され、希望していない登録がされている場合には「×」が表示される。また、通知設定とは、例えば、構成機器が使用されてから該当する構成機器の耐久年数が経過する前において、どの時期にポップアップ画面を表示するかを示している。
【００２９】
優先度とは、構成機器の交換について重要度を表している。例えば、優先度Ａであれば、構成機器の交換の重要度が高く、優先度Ｄであれば構成機器の交換の重要度は低いことを表している。優先度は、例えば、通知の頻度や態様を決定づける要因として扱われてもよい。例えば、優先度Ａであれば、通知日を経過した後に、該当する構成機器の交換に関する情報が入力されていない場合には、毎日、ポップアップ画面を表示する。例えば、優先度Ｄであれば、構成機器の交換時期が近づいても、ポップアップ画面は表示しないなどとしてもよい。また、構成機器名や構成機器の識別情報に対応づけて、予め各項目の情報を設定しておき、構成機器名を登録した際に、予め設定していた各項目の情報が登録されるようにしてもよい。なお、各項目の情報の登録方法や交換、前回交換日の項目の説明ついては、後述する。
【００３０】
このように、実施形態の監視装置４０では、出力部７６により、構成機器の交換時期が近づいていることが通知されるため、オペレータが、該当する構成機器に関する詳細な情報を確認することができる。これにより、遠方監視装置１０や受変電設備３０の構成機器の寿命や交換時期の経過による故障や不能を未然に防ぐことができる。
【００３１】
（第２の実施形態）
以下、第２の実施形態について説明する。ここでは、第１実施形態との相違点を中心に説明し、第１の実施形態と共通する機能等についての説明は省略する。第２の実施形態では、第１の実施形態が有する機能に加えて、判定部７８が、記憶部７２を参照して、オペレータにより入力された入力条件を満たす構成機器を抽出することができる。
【００３２】
図１０は、第２の実施形態の出力部７６が表示する表示する、入力条件を満たす構成機器を抽出した結果の画面の一例を示す図である。判定部７８は、例えば、所定の条件として、構成機器の推奨交換日が「２０１４年４月１日から２０１４年７月３１日」として設定して、構成機器を抽出した場合、例えば、図１０に示す情報を表示する。図１０には、記憶部７２に登録されている遠方監視装置１０または受変電設備３０の構成機器について、「２０１４年４月１日から２０１４年７月３１日」の間に、推奨交換日が到来する構成機器の一覧が表示される。例えば、一覧の項目としては、対象装置・設備、構成機器名、耐久年数、使用年数、推奨交換日、通知の要否、通知設定、優先度、交換に関する情報（交換、前回交換日）などである。なお、これらの一覧の項目に関する識別情報は、それぞれ対応づけて記憶部７２に記憶されている。
【００３３】
これによれば、監視装置４０は、所定の期間内に推奨交換日が到来する構成機器を抽出し、一覧を表示することができるため、オペレータは所定の期間内に交換が必要な構成機器を認識でき、オペレータの利便性を向上させることができる。また、第１の実施形態と同様の効果を奏することもできる。
【００３４】
（第３の実施形態）
以下、第３の実施形態について説明する。ここでは、第１の実施形態との相違点を中心に説明し、第１の実施形態と共通する機能等についての説明は省略する。第３の実施形態では、第１の実施形態が有する機能に加えて、オペレータが、監視装置４０の記憶部７２に、新たな構成機器の寿命または交換時期を登録することができる。
【００３５】
図１１は、第３の実施形態の出力部７６が表示する、構成機器登録画面の一例を示す図である。図５〜１０の画面において、例えば、構成機器登録画面のアイコンをタッチ操作すると、図１１に示す構成機器登録画面に移動する。構成機器登録画面は、構成機器の寿命または交換時期を記憶部７２へ登録するための画面である。構成機器登録画面に表示される項目として、例えば、対象装置・設備、構成機器名、耐久年数、構成機器の使用を開始した日である構成機器取付日、通知の要否、通知設定、優先度などである。オペレータは、各項目の近傍に表示されたプルダウンメニュー選択のためのアイコンを操作することにより、各項目の内容を登録することができる。また、オペレータが、「入力画面へ」アイコンをタッチ操作すれば、画面を入力画面に切替えることができる。オペレータは、入力画面で各項目の情報を登録することもできる。
【００３６】
また、判定部７８は、例えば、オペレータの操作により構成機器名が入力された際に、記憶部を参照して、該当する構成機器名に対応づけて、予め設定された対象装置・設備、耐久年数、通知の要否、通知設定、優先度などを記憶部７２に記憶してもよい。
【００３７】
これによれば、監視装置４０は、新たに対象装置・設備、構成機器が追加された場合に、それらの構成部品の交換時期に関する情報を登録でき、新たに追加された構成機器の寿命または交換時期についても通知することができるため、利用者の利便性を向上させることができる。また、判定部７８は、利用者の操作により新たな構成機器名が登録された際に、記憶部を参照して、構成機器名に対応づけて、予め設定された情報を、新たな構成機器の情報として記憶部７２に記憶することができるため、利用者の利便性を向上させることができる。また、第１の実施形態と同様の効果を奏することもできる。
【００３８】
（第４の実施形態）
以下、第４の実施形態について説明する。ここでは、第１の実施形態との相違点を中心に説明し、第１の実施形態と共通する機能等についての説明は省略する。第４の実施形態では、第１の実施形態が有する機能に加えて、オペレータが、監視装置４０に構成機器を交換した情報を入力した場合における処理について説明する。
【００３９】
図１２は、第４の実施形態に係る監視装置４０に構成機器を交換した情報を入力した場合に実行される処理の流れの一例を示すフローチャートである。図１２を参照して、監視装置４０により実行される処理の一例を説明する。本フローチャートの処理は、例えば所定周期で繰り返し実行される。
【００４０】
判定部７８は、例えば、図９、図１０、後述する図１３に示す画面における交換のアイコンがタッチ操作されたか否かを判定する（ステップＳ２００）。交換のアイコンがタッチ操作されていない場合は、本フローチャートの処理の１ルーチンが終了する。交換のアイコンがタッチ操作された場合、判定部７８は、交換のアイコンがタッチ操作された日時を記憶部７２へ記憶する（ステップＳ２０２）。次に、判定部７８は、記憶部７２より交換のアイコンに対応する構成機器に対応づけられた情報を取得する（ステップＳ２０４）。判定部７８は、対応する構成機器の耐久年数と、交換のアイコンがタッチ操作された日時とに基づき、推奨交換日を算出する（ステップＳ２０６）。そして、判定部７８は、図９、図１０、後述する図１３に示す画面における推奨交換日を更新するための信号を、出力部７６へ出力する（ステップＳ２０８）。これにより本フローチャートの処理の１ルーチンが終了する。
【００４１】
図１３は、第４の実施形態の出力部７６が表示する、交換のアイコンがタッチ操作された場合の画面の一例について示す図である。オペレータが、例えば、図９、図１０の画面において構成機器「ｅ」に対応する交換のアイコンをタッチ操作すると、判定部７８による処理が行われる。判定部７８は、タッチ操作に対応する信号を出力すると、出力部７６は、図１３の画面を表示する。図１３の画面において構成機器「ｅ」に対応する交換のアイコンの色が、他のアイコンの色と判別可能となるように、異なる色に変更される。また、画面における前回交換日は、オペレータにより入力された交換日が表示される。さらに、画面における使用年数は「０」と表示され、判定部７８により算出された推奨交換日が表示される。推奨交換日は、構成部品を交換した日に、耐久年数を加算した日である。また、判定部７８は、記憶部７２に記憶された該当する構成部品に対応する情報を、算出した推奨交換日、使用年数、前回交換日の情報に書き換える。
【００４２】
これによれば、監視装置４０は、構成機器を交換した場合に、構成機器を交換した情報を入力することで、構成機器の寿命または交換時期に関する情報を更新するので、オペレータが改めて構成機器の寿命または交換時期に関する情報を登録せずに、オペレータに交換時期が近づいていることを通知することができ、オペレータの利便性を向上させることができる。
【００４３】
以上説明した少なくともひとつの実施形態によれば、記憶部を参照して、遠方監視装置または受変電設備の構成機器の寿命または交換時期に関して所定の条件を満たしているか否かを判定して、判定結果に基づく情報を出力する機能を持つことにより、遠方監視装置１０または受変電設備３０の構成機器の寿命や交換時期の経過による故障や不能を未然に防ぐことができる。
【００４４】
本発明のいくつかの実施形態を説明したが、これらの実施形態は、例として表示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１…系統監視システム、５…監視システム、１０…遠方監視装置、１２…ＬＡＮ用ハブ、１４…入出力端末、１６…ファン、１８…その他の機器、２０…バッテリ、３０…受変電設備、４０…監視装置、５０…ＬＡＮ用ハブ、６０…シーケンサ、６２…バッテリ、６４…無線通信部、６６…制御部、７０…タッチパネル式ディスプレイ端末装置、７２…記憶部、７４…入力部、７６…出力部、７８…判定部、８０…無線通信部
【図１】
2015208166.tif 000003
【図２】
2015208166.tif 000004
【図３】
2015208166.tif 000005
【図４】
2015208166.tif 000006
【図５】
2015208166.tif 000007
【図６】
2015208166.tif 000008
【図７】
2015208166.tif 000009
【図８】
2015208166.tif 000010
【図９】
2015208166.tif 000011
【図１０】
2015208166.tif 000012
【図１１】
2015208166.tif 000013
【図１２】
2015208166.tif 000014
【図１３】
2015208166.tif 000015